(57)【要約】【課題】腰痛を予防し、ボビンの落下を防止する。【解決手段】光ファイバが巻き取られた光ファイバ用ボビン１３の運搬補助具１００において、光ファイバ用ボビン１３を開口部１７より収容可能にするため、開口部１７を開いた状態で形状が保持される袋状部１９と、袋状部１９に固着され作業者２１の首２３、肩５１、腰２５に結び付けられる紐部２７を含む取付手段３２と、を設けた。袋状部１９は、光ファイバ用ボビン１３の飛び出しが阻止される深さに設定されていることが好ましい。袋状部１９の開口部１７は、矩形状であることが好ましい。袋状部１９は、ボビン形状に倣った円柱形状の胴部となる収容部３１に、袋状部１９の形状を保持するための複数枚の補強材３３を分散配置することができる。【選択図】図１
2011235991.tif 000002
【特許請求の範囲】
【請求項１】
光ファイバが巻き取られた光ファイバ用ボビンの運搬補助具であって、
前記光ファイバ用ボビンを開口部より収容可能にした袋状部と、
作業者に該袋状部を固定する取付手段と、
を具備し、
前記開口部を開いた状態で、前記袋状部の形状を保持することができるようにしたことを特徴とする光ファイバ用ボビンの運搬補助具。
【請求項２】
請求項１記載の光ファイバ用ボビンの運搬補助具であって、
前記袋状部は、前記光ファイバ用ボビンを露出させるとともに該ボビンの直径の５０〜７０％の深さに設定されていることを特徴とする光ファイバ用ボビンの運搬補助具。
【請求項３】
請求項１又は請求項２記載の光ファイバ用ボビンの運搬補助具であって、
前記袋状部の開口部は、矩形状であることを特徴とする光ファイバ用ボビンの運搬補助具。
【請求項４】
請求項１〜請求項３のいずれか１項記載の光ファイバ用ボビンの運搬補助具であって、
前記袋状部は、ボビン形状に倣った収容部に複数枚の補強材が円弧に沿って分散配置されていることを特徴とする光ファイバ用ボビンの運搬補助具。
【請求項５】
請求項１〜請求項４のいずれか１項記載の光ファイバ用ボビンの運搬補助具であって、
前記袋状部の作業者と接触する対面部には緩衝材が配置されていることを特徴とする光ファイバ用ボビンの運搬補助具。
【請求項６】
請求項１〜請求項５のいずれか１項記載の光ファイバ用ボビンの運搬補助具であって、
前記袋状部の作業者と接触する対面部と反対側の先端部には、ボビンラックに係止させるフックが取り付けられていることを特徴とする光ファイバ用ボビンの運搬補助具。
【請求項７】
請求項１〜請求項６のいずれか１項記載の光ファイバ用ボビンの運搬補助具であって、
前記袋状部の対向する箇所には光ファイバ用ボビンを収容していないときに該開口部を閉じた状態を保持する閉塞保持手段が取り付けられていることを特徴とする光ファイバ用ボビンの運搬補助具。
【発明の詳細な説明】
【技術分野】
【０００１】
本発明は、光ファイバ用ボビンの運搬補助具に関する。
【背景技術】
【０００２】
長尺ファイバを巻いた光ファイバ用ボビンの重量は最大で約１５ｋｇになる。一般的に、光ファイバ用ボビンは、手で持って運ぶか、若しくは台車に載せて運搬する。光ファイバ用ボビンを手で把持して運搬する場合、腰などに負担が掛ることから腰痛の原因になったり、また光ファイバ用ボビンを落としたりする可能性が考えられる。乳幼児、または小型のペット等を運ぶ運搬補助具には例えば特許文献１の用具が知られているが、保持部分が光ファイバ用ボビンの投入・取り出しに適していないとともに、前側ショルダ・ストラップと後ろ側ショルダ・ストラップとから構成されるスリングが片側の肩のみに掛けられるため、光ファイバ用ボビンの安定保持が困難となる。
【０００３】
一方、光ファイバ用ボビンの台車としては例えば特許文献２に開示される光ファイバボビンの運搬車が知られているが、車輪を取り付けた台板に光ファイバ用ボビンを収容する枠体を設け、枠体には光ファイバ用ボビンの鍔板を載置する１対の支持杆を配設するため、大型になるとともに重量も大きくなり、小回りが効かず、光ファイバ用ボビンが手軽に運べなくなる不利があった。
【先行技術文献】
【特許文献】
【０００４】
【特許文献１】特表２００４−５２９７３２号公報
【特許文献２】実開平５−３７６３３号公報
【発明の概要】
【発明が解決しようとする課題】
【０００５】
本発明は上記状況に鑑みてなされたもので、その目的は、腕力を必要とせず、腰への負担を軽減（腰痛を予防）し、ボビンの落下を防止できる光ファイバ用ボビンの運搬補助具を提供することにある。
【課題を解決するための手段】
【０００６】
本発明に係る上記目的は、下記構成により達成される。
（１）  光ファイバが巻き取られた光ファイバ用ボビンの運搬補助具であって、
前記光ファイバ用ボビンを開口部より収容可能にした袋状部と、
作業者に該袋状部を固定する取付手段と、
を具備し、
前記開口部を開いた状態で、前記袋状部の形状を保持することができるようにしたことを特徴とする光ファイバ用ボビンの運搬補助具。
【０００７】
この光ファイバ用ボビンの運搬補助具によれば、袋状部は、開口部を開いた状態で形状を保持することが可能であり、開口部より投入された光ファイバ用ボビンは、袋状部の中に入り保持される。光ファイバ用ボビンを保持した袋状部は、作業者に該袋状部を固定する紐などの取付手段を介して作業者の首、肩、腰に保持される。光ファイバ用ボビンの荷重は、手を使用せずに取付手段を介して作業者の首、肩、腰に支持される。また、作業者は、手で持つ際の腰への負担のかかる姿勢も取る必要がなくなる。
【０００８】
（２）  （１）の光ファイバ用ボビンの運搬補助具であって、
前記袋状部は、前記光ファイバ用ボビンを露出させるとともに該ボビンの直径の５０〜７０％の深さに設定されていることを特徴とする光ファイバ用ボビンの運搬補助具。
【０００９】
この光ファイバ用ボビンの運搬補助具によれば、開口部より投入された光ファイバ用ボビンは、袋状部からこぼれ落ちずに保持され、且つ運搬時の振動により上下移動した場合であっても、開口部から飛び出して脱落することがない。また、開口部から容易に取り出すことができる。
【００１０】
（３）  （１）又は（２）の光ファイバ用ボビンの運搬補助具であって、
前記袋状部の開口部は、矩形状であることを特徴とする光ファイバ用ボビンの運搬補助具。
【００１１】
この光ファイバ用ボビンの運搬補助具によれば、光ファイバ用ボビンを上部から見た形状と開口部の形状とが相似形となり、袋状部への投入が容易となるとともに、投入後に移動やがたつきの生じない保持が可能となる。
【００１２】
（４）  （１）〜（３）のいずれか１項の光ファイバ用ボビンの運搬補助具であって、
前記袋状部は、ボビン形状に倣った収容部に複数枚の補強材が円弧に沿って分散配置されていることを特徴とする光ファイバ用ボビンの運搬補助具。
【００１３】
この光ファイバ用ボビンの運搬補助具によれば、光ファイバ用ボビンの収容前に、袋状部の形を保って開口部を開いた状態に維持でき、光ファイバ用ボビンの開口部からの投入が容易になる。また、収容された光ファイバ用ボビンの荷重が、一旦補強材に支持され、収容部に分散支持される。これにより、光ファイバ用ボビンの凸部（両側鍔部等）が当たることによる集中荷重が袋状部に分散され、袋状部に変形が生じない。変形の生じないことにより、光ファイバ用ボビンの取り出しも容易となる。さらに、作業者の身体が光ファイバに直接押し当てられることを防ぎ、また外部からの衝撃等が光ファイバに直接当たることを防ぐので、光ファイバ用ボビンに巻き取られた光ファイバの損傷を回避することができる。
【００１４】
（５）  （１）〜（４）のいずれか１項の光ファイバ用ボビンの運搬補助具であって、
前記袋状部の作業者と接触する対面部には緩衝材が配置されていることを特徴とする光ファイバ用ボビンの運搬補助具。
【００１５】
この光ファイバ用ボビンの運搬補助具によれば、袋状部の対面部と作業者の腹部との間に緩衝材が介在することで、ボビン鍔が作業者にぶつかることによる衝撃が、緩衝材によって吸収され、緩和される。また、腹部からの反力が袋状部へ作用しにくくなり、がたつきのない運搬が行える。
【００１６】
（６）  （１）〜（５）のいずれか１項の光ファイバ用ボビンの運搬補助具であって、
前記袋状部の作業者と接触する対面部と反対側の先端部には、ボビンラックに係止させるフックが取り付けられていることを特徴とする光ファイバ用ボビンの運搬補助具。
【００１７】
この光ファイバ用ボビンの運搬補助具によれば、ボビンラックにフックを引っ掛けることにより、運搬補助具を固定でき、首、肩、腰に負担がかからず、光ファイバ用ボビンのボビンラックに対し、ボビンを安全に投入・取り出すことができる。
【００１８】
（７）  （１）〜（６）のいずれか１項の光ファイバ用ボビンの運搬補助具であって、
前記袋状部の対向する箇所には光ファイバ用ボビンを収容していないときに該開口部を閉じた状態を保持する閉塞保持手段が取り付けられていることを特徴とする光ファイバ用ボビンの運搬補助具。
【００１９】
この光ファイバ用ボビンの運搬補助具によれば、光ファイバ用ボビンを収容していないときに、閉塞保持手段によって開口部を閉じた状態に保持することで、袋状部を折り畳んで薄厚とし、歩行や他の作業の邪魔にならないようにできる。
【発明の効果】
【００２０】
本発明に係る光ファイバ用ボビンの運搬補助具によれば、開口部を開いた状態に形状が保持される袋状部と、作業者に該袋状部を固定する取付手段と、を備えるので、運搬補助具が背から肩、腰に掛けて紐などの取付手段により固定され、袋状部にボビンを入れてしまえば、ボビンを手で持つ必要が無くなる。この結果、腰への負担が軽減され、腰痛予防やボビン落下防止になる。また、手で持って運ぶ必要がないので、楽にボビンを運搬できる。
【図面の簡単な説明】
【００２１】
【図１】本発明に係る運搬補助具の斜視図である。
【図２】図１の運搬補助具を装着中の作業者と共に表した側面図である。
【図３】図２の正面図である。
【図４】折り畳んだ状態の運搬補助具の側面図である。
【図５】フックをボビンラックに係止した運搬補助具の側面図である。
【発明を実施するための形態】
【００２２】
以下、本発明の実施の形態を図面を参照して説明する。
図１は本発明に係る運搬補助具の斜視図、図２は図１の運搬補助具を装着中の作業者と共に表した側面図、図３は図２の正面図である。
光ファイバ１１が巻き取られた光ファイバ用ボビン１３の運搬補助具１００は、主要部が袋状部１９と、取付手段３２と、に大別して構成され、取付手段３２は紐部２７と環部３０とで構成される。袋状部１９は、光ファイバ用ボビン１３を上部の開口部１７より収容可能とし、例えば布製とすることができる。布製には織物も含む。織物には例えば強化繊維を織るアラミド繊維が挙げられる。袋状部１９は、アラミド繊維以外の織物（木綿等の布）を多重に重畳構成してもよく、また、織物ではなく編物としてもよく、さらには、樹脂シート（ＰＶＣシート等）とすることもできる。とりわけ、布製とすることにより、適度な強度を確保しつつ軽量化を図ることもでき、しかも安価に製作することができる。
【００２３】
袋状部１９は、円柱体を軸線に沿う水平面で上部を切除した略逆蒲鉾形状となる。光ファイバ用ボビン１３の寸法は、例えば直径４０５ｍｍ、幅２６０ｍｍ、重量は１５０ｋｍ巻き光ファイバ用ボビン１３で１４．５ｋｇとなる。袋状部１９は、この光ファイバ用ボビン１３の略下半分を収容可能とすることから、例えば幅３００ｍｍ、円弧に沿う方向の長さ略８００ｍｍ、深さ２７０ｍｍとすることができる。
【００２４】
袋状部１９は、このように、光ファイバ用ボビン１３の飛び出しが阻止される深さに設定されている。すなわち、上記深さ寸法とすることにより、袋状部１９は光ファイバ用ボビン１３が半分ぐらい収まる深さとしている。袋状部１９の深さが浅いと、光ファイバ用ボビン１３が脱落し、深いと、光ファイバ用ボビン１３を出しにくいためである。より具体的には、袋状部１９の深さを、光ファイバ用ボビン１３の直径の５０〜７０％とする。深さが５０％以下であると光ファイバ用ボビン１３がこぼれ落ちる可能性がある。一方、深さが７０％以上であると光ファイバ用ボビン１３を取り出しにくい。このような深さとすることにより、開口部１７より投入された光ファイバ用ボビン１３は、袋状部１９からこぼれ落ちずに保持され、且つ運搬時の振動により上下移動した場合であっても、開口部１７から飛び出して脱落することがない。
【００２５】
袋状部１９の開口部１７は、矩形状に形成される。すなわち、軸線が水平方向となる姿勢における光ファイバ用ボビン１３の平面視輪郭形状と開口部１７の形状とが相似形となる。これにより、袋状部１９への投入が容易となるとともに、投入後に移動やがたつきの生じない保持が可能となる。この形状を保持させないと光ファイバ用ボビン１３が入れにくくなる。
【００２６】
袋状部１９の縁は補強のため、厚い布（厚さ２ｍｍ程度）２２を縫い付けることが好ましい。ここで、袋状部１９の縁とは、開口部１７の周囲、及び隣接する面が交わる稜線部を言う。
【００２７】
袋状部１９には紐部２７及び環部３０が固着される。紐部２７は、作業者２１の首２３、肩５１、腰２５に結び付けられる。運搬補助具１００は、光ファイバ用ボビン１３を入れる袋状部１９を、胸から腹部の辺りで抱えるようにして装着される。その装着状態で、袋状部１９の荷重が、首２３、肩５１、腰２５に分散して支持される。紐部２７は、袋状部１９に繋がり、例えば肩５１から背中に回して襷掛けにし、環部３０を通した後、腰２５に回して結んで固定する。紐部２７は、１本であってもよく、複数本であってもよい。
【００２８】
紐部２７が１本の構成では、袋状部１９の上部左右の一方、及び下部左右に合計３つの環部３０を取り付け、上部左右の他方に始端を固定した紐部２７を首２３に掛けた後、上部一方の環部３０に通し、対角方向の下部環部３０に通した後、反対側の下部環部３０に終端を結ぶことができる。
【００２９】
紐部２７が２本の構成では、袋状部１９の下部左右に合計２つの環部３０を取り付け、上部左右にそれぞれの始端を固定した紐部２７，２７を首２３に掛けた後、既述したように背中で襷掛けして交差させ、下部左右の環部３０，３０に通した後、腰２５の背部で終端同士を結ぶことができる。また、袋状部１９の上部左右に１本の紐部２７の始端と終端とを固定して首２３に掛け、下部左右に始端を固定した２本の紐部２７，２７の終端同士を腰２５の背部で結んでも良い。
【００３０】
いずれの構成においても、紐部２７の取り付け位置、向きは、荷重の掛り具合を考慮して設定することが好ましい。紐部２７は、袋状部１９と同様に、布製とすることができる。また、強化繊維を織るアラミド繊維、さらには、周知技術の長さ調節手段が設けられているベルトとしてもよい。
なお、上記の実施の形態では、取付手段３２として紐部２７と環部３０を用いる構成について説明したが、特にこの構成に限られるものではなく、作業者に袋状部１９を固定できるものであればどのようなものでも良い。例えば衣服状の取付手段であって、その腹部に相当する箇所に袋状部が固着しており、この衣服状の取付手段を作業者が着るような構成であっても良い。
【００３１】
袋状部１９は、ボビン形状に倣った円柱形状の胴部となる収容部３１に、袋状部１９の形状を保持するための複数枚の補強材３３が円弧に沿って分散配置されている。補強材３３としては、例えば幅３００ｍｍ、円弧に沿う方向の長さ１００ｍｍのアクリル板を底辺に並べて用いることができる。アクリル板は、軽量、且つ、成形性に優れ、また安価にして袋状部の形状を簡単に保持させることができる。補強材３３は２枚の布地間に縫いこんで位置決めできる。補強材３３を底部に設けることで、収容された光ファイバ用ボビン１３の荷重が、一旦補強材３３に支持され、収容部３１に分散支持される。これより、光ファイバ用ボビン１３の凸部（両側鍔部等）が当たることによる集中荷重が袋状部１９に分散され、袋状部１９に変形が生じない。変形の生じないことにより、光ファイバ用ボビン１３の取り出しも容易となる。さらに、アクリル板は、作業者の身体が光ファイバに直接押し当てられることを防ぎ、また外部からの衝撃等が光ファイバに直接当たることを防ぐので、光ファイバ用ボビン１３に巻き取られた光ファイバ１１の損傷を回避することができる。
【００３２】
袋状部１９の作業者２１と接触する対面部３５には緩衝材３７が配置されている。緩衝材３７は、身体保護のためのクッション材となる。紐部２７の掛けられる首２３および肩５１および腰２５とともに、袋状部１９の対面部３５が当たる作業者２１の腹部にも加重が分担される。袋状部１９の対面部３５と腹部との間に緩衝材３７が介在することで、ボビン鍔が作業者２１にぶつかることによる衝撃が、緩衝材３７によって吸収され、緩和される。また、腹部からの反力が袋状部１９へ作用しにくくなり、がたつきのない運搬が行えるようになされている。
【００３３】
図４は折り畳んだ状態の運搬補助具の側面図である。
袋状部１９の先端部３９及び対面部３５には、運搬補助具１００に光ファイバ用ボビンを収容していないときに開口部１７を閉じた状態に保持する閉塞保持手段４７が取り付けられている。閉塞保持手段４７としては、例えば面ファスナを使用することができる。閉塞保持手段４７は、スナップボタン、磁石としてもよい。これにより、光ファイバ用ボビンを収容していないときに、閉塞保持手段４７によって開口部１７を閉じた状態に保持することで、袋状部１９を折り畳んで薄厚とし、歩行や他の作業の邪魔にならないようにできる。閉塞保持手段４７としては、面ファスナなどを用い、袋状部１９の先端部３９と対面部３５を持って重ね合わせ、または引きはがすことで、袋状部１９を簡単に折り畳み・開放することができる。
【００３４】
図５はフックをボビンラックに係止した運搬補助具の側面図である。
袋状部１９の作業者２１と接触する対面部３５の反対側の先端部３９には、ボビンラック４１に係止させるフック４３が取り付けられている。フック４３は、強度のある例えば金属製であり、下側が開放の逆Ｕ字状の鉤形状とすることができる。袋状部１９の先端部３９にフック４３を付け、ボビンラック４１に引っ掛けることにより、光ファイバ用ボビン１３を入れ易くしている。また、ボビンラック４１にフック４３を引っ掛けて、運搬補助具１００を固定できるので、首２３、肩５１、腰２５に負担がかからず、光ファイバ用ボビン１３の安全な投入・取り出しが可能となる。
【００３５】
上記のように構成された運搬補助具１００の作用を説明する。
運搬補助具１００は、光ファイバ用ボビンを収容していないときに閉塞保持手段４７にて開口部１７が閉塞するように折り畳まれることで、他の作業の支障とならない。光ファイバ用ボビン１３の運搬が必要となったときには、先ず、袋状部１９の先端部３９と対面部３５を離反方向に引っ張り、開口部１７を開く。次いで、図５に示すように、先端部のフック４３を、ボビンラック４１の水平パイプ５３に係止する。
【００３６】
フック４３を介してボビンラック４１に固定されている袋状部１９に対し、ボビンラック４１に載置されている光ファイバ用ボビン１３を両手で持ち、開口部１７より収容部３１へ入れる。フック４３をボビンラック４１から外し、光ファイバ用ボビン１３を袋状部１９に保持した状態で、目的の場所まで徒歩により運搬する。運搬距離は１０ｍ前後程度が一般的である。
【００３７】
目的の場所に到着したなら、当該場所のボビンラック４１にフック４３を係止した後、収容部３１から両手で光ファイバ用ボビン１３を取り出し、ボビンラック４１へと移載する。光ファイバ用ボビン１３をボビンラック４１へ移載したなら、袋状部１９の先端部３９と対面部３５とを接近させて重ね合わせることで、閉塞保持手段４７にて袋状部１９を薄厚に畳み、次の作業に移る。
【００３８】
このように、運搬補助具１００では、開口部１７より投入された光ファイバ用ボビン１３は、袋状部１９の中に入り保持され、光ファイバ用ボビン１３を保持した袋状部１９は、取付手段３２となる例えば紐部２７を介して作業者２１の首２３、肩５１、腰２５に保持される。光ファイバ用ボビン１３の荷重は、手を使用せずに紐部２７を介して作業者２１の首２３、肩５１、腰２５に支持される。また、作業者２１は、手で持つ際の腰２５への負担のかかる姿勢も取る必要がなくなる。
【００３９】
したがって、上記構成の運搬補助具１００によれば、開口部１７を開いた状態に形状が保持される袋状部１９と、作業者に該袋状部１９を固定する取付手段３２と、を備えるので、運搬補助具１００が肩５１から腰２５に掛けて紐などの取付手段３２により固定され、袋状部１９にボビンを入れてしまえば、ボビンを手で持つ必要が無くなる。この結果、腰２５への負担が軽減され、腰痛予防やボビン落下防止になる。また、手で持って運ぶ必要がないので、楽に光ファイバ用ボビン１３を運搬することができる。
【符号の説明】
【００４０】
１１  光ファイバ
１３  光ファイバ用ボビン
１７  開口部
１９  袋状部
２１  作業者
２３  首
２５  腰
２７  紐部
３１  収容部
３２  取付手段
３３  補強材
３５  対面部
３７  緩衝材
３９  先端部
４１  ボビンラック
４３  フック
４７  閉塞保持手段
１００  運搬補助具
【図１】
2011235991.tif 000003
【図２】
2011235991.tif 000004
【図３】
2011235991.tif 000005
【図４】
2011235991.tif 000006
【図５】
2011235991.tif 000007